(57)【要約】      （修正有）【課題】屋内に入らなくても玄関先において、手洗い、手の乾燥、手の消毒液による殺菌などが容易にできる玄関用手洗装置を提供する。【解決手段】玄関等に設置されて手洗器具２を備えた玄関用手洗装置において、手洗器具２に温風乾燥機２５と消毒液噴霧機２６とを備え、手洗器具２に傘又は靴が収納される収納室８を併設し、この収納室８には手洗器具２の温風乾燥機２５と消毒液噴霧機２６とを連通管２８により接続させて、外部から家のなかに入る際の手の汚れや、手についた細菌やウィルスなどを室内へ持ち込まず、カビや細菌などの発生を防ぐことができ清潔な室内環境を保持する構成とした。【選択図】図２
2014083060.tif 000002
【特許請求の範囲】
【請求項１】
玄関等に設置されて手洗器具を備えた玄関用手洗装置において、前記手洗器具に温風乾燥機と消毒液噴霧機とを備えたことを特徴とする玄関用手洗装置。
【請求項２】
前記手洗器具に傘又は靴が収納される収納室を併設し、この収納室には前記手洗器具の温風乾燥機と消毒液噴霧機とを連通管により接続させたことを特徴とする請求項１記載の玄関用手洗装置。
【発明の詳細な説明】
【技術分野】
【０００１】
本発明はホテル、病院、学校、マンション、戸建て住宅等の建物の出入り口に設置される玄関用手洗装置に関するものである。
【背景技術】
【０００２】
通常、外出から帰り、戸建て住宅等の室内に入る際には、手洗いをして外出時に手に付着した汚れをすぐに洗い落とす必要があるが、手洗器は玄関を通り越した室内に設置されているため、手が汚れた状態で室内に入ることとなり、衛生上の問題があった。
【０００３】
そこで、特許文献１の玄関用手洗装置は、玄関の床に手洗器を設置している。
【０００４】
この特許文献１の玄関用手洗装置４０は図３に示すように、手洗器４１と傘立て４２を備え、更に靴等を収納する収納箱４３を有している。
【０００５】
このように、特許文献１に開示されている玄関用手洗装置４０では、室内に入る前に手洗器４１で汚れた手を洗うことはできる。
しかし、外出から帰り、戸建て住宅等の室内に入る際には、すぐに手洗いをして外出時に手に付着した汚れだけでなく、細菌又はウィルスをすぐに洗い落とす必要があるが、手洗器４１では手に付着した汚れを洗い落とすことしかできず、殺菌のできる洗面所は、玄関を通り越した室内に設置されているため、玄関と洗面所との間に細菌やウィルスを持ち込む可能性があり、衛生上の問題を解決することができなかった。
また、戸建て住宅等において、洗面所が玄関から近い距離にある場合でも、洗面所での手洗いが面倒でつい省略したりするので、手に付着した細菌やウィルスを屋内や体内に持ち込む可能性があった。
【０００６】
また、特許文献１に開示されている玄関用手洗装置４０では、手洗器４１で手を洗う場合、玄関の壁や床に汚れた水が飛散しやすく、さらに洗い終えた手を拭くタオルを掛けておく場所が必要になり、見栄えが悪いばかりか夏場などは使用済みのタオルから嫌な臭いが発生しやすく、頻繁に掃除やタオル交換が必要になっていた。
さらに、傘立て４２や収納箱４３には、傘４４や靴などを雨や泥で濡れて汚れたまま収納しなければならず、当然玄関用手洗装置４０内に湿気がこもり、嫌な臭いやカビや細菌などが発生しやすくなっていた。
【０００７】
また、傘や靴など雨の中で使用して汚れたものを洗う時間がなくて、汚れて濡れたままで傘立て４２や収納箱４３に収納せざるを得ない時などは、当然傘立て４２や収納箱４３内に湿気がこもり、嫌な臭いやカビや細菌などの発生を誘発するなど、玄関の環境を悪化させる原因でもあった。
なお、玄関でバケツに温水を汲んできて、傘や靴を洗うこともあるが、水跳ねなどにより壁や床などを汚染してしまい、かえって屋内の汚れを増幅させる恐れがあった。
【先行技術文献】
【特許文献】
【０００８】
【特許文献１】特開２０００−２１３１８５号公報（図２）
【発明の概要】
【発明が解決しようとする課題】
【０００９】
本願発明は、上記背景技術に鑑みて発明されたものであり、その課題は、屋内に入らなくても玄関先において、消毒液による手の殺菌などが容易にできる玄関用手洗装置を提供することを目的とする。
【課題を解決するための手段】
【００１０】
以上の課題を解決するために、本願発明の請求項１は、玄関等に設置されて手洗器具を備えた玄関用手洗装置において、前記手洗器具に温風乾燥機と消毒液噴霧機とを備えたことを特徴とする。
本発明の解決手段を用いることによって、玄関において簡単に手洗い、手の乾燥、手の消毒液による殺菌などが容易にでき、更に温水を使用して行う様々な作業も行うことが可能となり、離れた水廻り場所から温水を運ぶといった余分な労力を費やす必要がなくなる。
【００１１】
請求項２は請求項１において、前記手洗器具に傘又は靴が収納される収納室を併設し、この収納室には前記手洗器具の温風乾燥機と消毒液噴霧機とを連通管により接続させたことを特徴とする。
請求項２の発明によれば、雨天時に外出し、帰宅後、時間がなくて傘、靴等を濡れた状態のまま収納室に収納しなければならないときに、手洗器具に設けられた温風乾燥機を作動させれば、収納されたまま自動で乾燥させることが可能となり、屋外に干す等の手間が不要になる。
また、乾燥後に消毒液噴霧機を作動させれば、自動で消毒液を掛けることができるため、わざわざ傘収納室、もしくは靴収納室から取り出して噴霧する手間が不要になる。
【発明の効果】
【００１２】
以上のように本発明は、玄関等に設置されて手洗器具を備えた玄関用手洗装置において、前記手洗器具に温風乾燥機と消毒液噴霧機とを備えたことで、外部から家のなかに入る際の手の汚れや、手についた細菌やウィルスなどを室内へ持ち込まないようにすることが可能になり、室内を汚すことがなくなり、生活空間を清潔に保つことができる。
【００１３】
また、傘や靴が収納される収納室に、手洗器具の温風乾燥機と消毒液噴霧機とを連通管により接続したことで、濡れた傘、靴等を自動で乾燥させることにより、カビや細菌などの発生を防ぐことができるため清潔な室内環境を保持することができる。
【００１４】
また、濡れた傘、靴等を乾燥させた後に消毒液を掛けておけば、傘や靴からの嫌な臭いや、カビや細菌などの繁殖を抑えることができる。
【図面の簡単な説明】
【００１５】
【図１】本発明の実施形態の玄関用手洗装置の斜視図である。
【図２】同上の玄関用手洗装置の断面図である。
【図３】従来の玄関用手洗装置の例を示す斜視図である。
【発明を実施するための形態】
【００１６】
本願の実施形態の玄関用手洗装置を図１、２に基づいて詳しく説明する。
図１は本発明にかかる実施の形態で、収納部７を備えた玄関用手洗装置１の上部に手洗器具２を設置したものである。
手洗器具２は上部と下部とからなり、その上部には、手のほかに傘や靴、雨具など汚れたものを挿入する洗浄槽３と、この洗浄槽３の中に手などを挿入するための挿入口４と、後述する噴出口５と、この噴出口５から洗浄槽３内に噴出される湯水と洗剤と温風と消毒液の吐出量や吐出時間を調整することができる操作盤６とが設けられている。
【００１７】
また、洗浄槽３の内周面には、温水と洗剤と温風と消毒液とをそれぞれ噴出することができる前記噴出口５を円周状に複数配置し、洗浄槽３の挿入口４内に手を挿入することにより、洗浄槽３内に取り付けられているセンサー（図示省略）が手を感知し、噴出口５から自動で混合水、洗剤、混合水、温風、消毒液の順番で吐出を開始することができる。
尚、この吐出する順番を変えたりすることは操作盤６の操作にて調整することができ、更に吐出量や吐出時間を増減させたり、手動に切り替えたりすることができる。
【００１８】
また、手のほかに、傘や靴、雨具など汚れたものを玄関用手洗装置１の洗浄槽３の挿入口４内に挿入しても洗うことができ、水廻り設備のある洗面所等へ行かないとできなかった行為や作業も玄関で行うことができる。
さらに、洗浄槽３の挿入口４内に手などを挿入して洗うことにより、湯水や洗剤などが洗浄槽３の外に飛散することを防止することができるため、玄関の壁や床などを濡らしたり、汚したりせずに、きれいに保つことができる。
【００１９】
さらに、洗浄槽３の内部には、挿入した手元が明るく見えるように照明器具（図示省略）を付属することによって手洗い等の行為や洗浄槽３の清掃作業がし易いように構成されている。
【００２０】
また、手洗器具２と併設して収納室８が設けられ、この収納室８の前面には扉９が開閉自在に取付けられており、玄関先の収納場所として色々な備品を収納できるようになっている。
【００２１】
図２は、図１の玄関用手洗装置１の断面図であり、玄関用手洗装置１の内部には手洗器具２と併設して収納室８が設けられている。
収納室８の内部には仕切板３３にて区分けされた傘収納室８ａと靴収納室８ｂが設けられ、その壁面３４には複数の噴出口３５が設けられている。
玄関用手洗装置１の下部には、床１０から配管された湯配管２０と水配管２１と排水管２２とが、手洗器具２の内部に接続されている。
湯配管２０と水配管２１は、玄関用手洗装置１の内部に設置されている湯水混合水栓２３に接続され、使用目的に合わせて湯と水を混合し、配管を通って手洗装置２の洗浄槽３の噴出口５から混合水として吐出される。
吐出された混合水は洗浄槽３の底部に設けられた排水口２９から排水管２２を通って排水される。
【００２２】
次に、玄関用手洗装置１内に設置された手洗器具２の洗浄槽３の下部には、湯水混合水栓２３と洗剤噴霧機２４と温風乾燥機２５と消毒液噴霧機２６とが設置され、それぞれ配管によって洗浄槽３の噴出口５に接続され吐出できるようになっている。
また、温風乾燥機２５と消毒液噴霧機２６は連通管２８によって、傘収納室８ａと靴収納室８ｂに設けられた壁面３４の噴出口３５にも接続され吐出できるようになっている。
そのため、傘収納室８ａに傘を濡れたままの状態で傘掛け３２に掛けて収納しても、靴収納室８ｂに靴を濡れたままの状態で収納しても、操作盤６を操作して温風乾燥機２５と消毒液噴霧機２６とを作動させることにより、収納した状態のままで乾かすことや、除菌することができる。
【００２３】
本実施例の玄関用手洗装置１は、上記の説明からも明らかなように、屋内に入らなくても玄関先において、手洗い、手の乾燥、手の消毒液による殺菌などが容易にできる。
また、雨の中で使用して汚れた傘なども簡単に洗うことができ、さらに、濡れた傘や靴などに温風を当てて乾燥させ、その後、消毒液を吐出させることにより除菌することができ、カビや細菌の繁殖を抑えることができる。
【符号の説明】
【００２４】
１；玄関用手洗装置、２；手洗器具、３；洗浄槽、４；挿入口、５；噴出口、６；操作盤、８；収納室、８ａ；傘収納室、８ｂ；靴収納室、９；扉、１０；床、２０；湯配管、２１；水配管、２２；排水管、２３；湯水混合水栓、２４；洗剤噴霧機、２５；温風乾燥機、２６；消毒液噴霧機、２８；連通管、２９；排水口、３２；傘掛け、３３；仕切板、３４；壁面、３５；噴出口
【図１】
2014083060.tif 000003
【図２】
2014083060.tif 000004
【図３】
2014083060.tif 000005